(57)【要約】【課題】  書類等を収納するファイルは、会社オフィスや自宅の書棚などに多数並べて管理されている。ここで、多数のファイルが並べられている状態で所望のファイルを取り出す場合、ファイルとファイルの間に指を差し入れにくいためファイルを取り出すのが困難である。【解決手段】  そこで、既存ファイルにファイル取り出し専用の器具を取り付けることにより、多数並べられているファイルから容易に所望のファイルを取り出すことができる。【選択図】図１
2020124902.tif 000002
【特許請求の範囲】
【請求項１】
書類等を保存するため逐次追加・抜き出し可能なファイル用具において、背表紙下部の裏側から表側にかけて取り付け、それを手で引き出すことにより、ファイル収納棚よりファイルを容易に取り出せることを特徴とする器具。
【請求項２】
請求項１に記載の器具は、
ポリエチレンやポリプロピレンなどの材質でできており、形状は薄く細長いシート状であり、シートの片方の端辺にはファイル背表紙裏側に取り付けるための粘着性のテープが取り付けてあり、反対側の端辺にはファイル背表紙表側と接続・取り外しが可能となるように、面ファスナーのフック面またはループ面のどちらか、あるいは、磁石と金属板のどちらかが取り付けられていることを特徴とする。
【発明の詳細な説明】
【技術分野】
【０００１】  本発明は、収納棚等に並べられているファイル用具を容易に取り出せることを目的に、既存のファイル用具に取り付ける器具に関するものである。
【背景技術】
【０００２】  書類等を収納するファイルは、会社オフィスの収納棚や自宅の書棚などに多数並べて管理されていることが多い。多数のファイルが並べられている状態で所望のファイルを取り出す場合、ファイルとファイルの間に指を差し入れにくいためファイルを取り出すのが困難な場合が多く、その際は、ファイル背表紙上部に指をかけ、ファイルを手前に傾けながら多少引き出されたファイル上部を掴まえて取り出さざるを得ないという苦労を要するものであった。【０００３】  さらに、この場合はファイルとファイル上部の収納棚天板との間にかなりの空間が必要であり、天板の位置を上下に変更移動可能な収納棚の場合はその内部空間を最大限に活用できていない。
【先行技術文献】
【特許文献】
【０００４】
【特許文献１】実用新案登録３１８５８４７号
【発明の概要】
【発明が解決しようとする課題】
【０００５】  上記の、多数のファイルから所望のファイルを取り出しにくいという問題を解決する技術として特許文献１や背表紙の一部に穴を設け、指を掛けやすくしてファイルを取り出す技術がある。しかし、これらはファイル製造時に施す機能であり、既存のファイルには適用できるものではない。【０００６】  そこで、収納棚に並べられた多数のファイルから所望のファイルを容易に取り出せる、既存のファイルに簡便に取り付け可能なファイル用具取り出し器具を提供する。
【課題を解決するための手段】
【０００７】  多数のファイルが隙間なく並べられている状態で所望のファイルを取り出すには、ファイル背表紙上部に指をかけ、ファイルを手前に傾けながら、多少引き出されたファイル上部を掴まえて取り出す方法しかない。しかしここで、ファイル下部を何らかの方法で引き出せるならばファイルを傾ける必要もなく容易にファイルを収納棚より取り出せることになる。【０００８】  ここで、図１に本発明の器具を示す。本発明は、ポリエチレンやポリプロピレンなどの柔軟で薄い素材（厚みはおおよそ０．２ｍｍ〜０．３ｍｍ）である本体取手部１と、本体取手部１の片端付近には本体取手部１を背表紙裏面に固定するための粘着素材を塗布した背表紙裏側粘着部３と、他方の片端付近には背表紙表側にその面を貼ったり外したりすることができる本体面ファスナー４（一般的にマジックテープ）が取り付けられている。【０００９】  さらに本体取手部１のおおよそ中央部に谷折りとなるように谷折り部２が細工されている。ファイル背表紙用面ファスナー５は本体面ファスナー４と位置対応するようにファイルの背表紙表側に取り付けるものである。本体面ファスナー４とファイル背表紙用面ファスナー５は片方がフックと呼ばれるかぎ爪状になっている突起で、もう片方がループと呼ばれる起毛となっているものである。【００１０】  ここで、面ファスナーは、本体取手部がファイル背表紙表側と接続・取り外しが可能となるためのものであり、他の方法として、磁石と金属板を面ファスナーの代わりとして使用しても良い。【００１１】  上記の本発明器具をファイル背表紙下部の裏側から表側に取り付けるものである。図２はその取り付け方法を示したものである。図２（Ａ）は書類を綴じる側（内側）から、図２（Ｂ）は背表紙側（外側）から見た概略図であるが、ファイル６の背表紙裏面８に、谷折り部２がファイルの最下部になるように背表紙裏側粘着部３を取り付ける。そして、背表紙表面７の下部においてファイル背表紙用面ファスナー５を本体面ファスナー４と位置が対応するように背表紙表面７に取り付ける。【００１２】  これにより、ファイルを収納棚より取り出す際は、本体取手部１を手前に引くことにより容易に取り出すことができる。ファイル取り出し後は本体面ファスナー４をファイル背表紙用面ファスナー５に取り付けることにより、ファイル取り出し後の書類の閲覧等において本発明器具は邪魔とはならない。
【発明の効果】
【００１３】  あらかじめ本発明器具をファイルに取り付けておくことにより、ファイルとファイルの間に指を差し入れにくい状態で多数のファイルが並べられている場合においても容易にファイルを取り出すことができる。【００１４】  また、ファイルとファイル上部の収納棚天板との空間が最小限で済み、天板の位置を上下に変更移動可能な収納棚の場合はその内部空間を最大限に活用できる。
【図面の簡単な説明】
【００１５】
【図１】本発明器具
【図２】ファイル用具に取り付ける方法を示す概略図
【図３】実施例
【発明を実施するための形態】
【００１６】  本発明は、ポリエチレンやポリプロピレンなどの柔軟で薄い素材（厚みはおおよそ０．２ｍｍ〜０．３ｍｍ）である本体取手部と、本体取手部の片端付近には本体取手部を背表紙裏面に固定するための粘着素材を塗布した背表紙裏側粘着部と、他方の片端付近には背表紙表側にその面を貼ったり外したりすることができる本体面ファスナーおよびファイル背表紙用面ファスナー（一般的にマジックテープ）とから構成されている。
【実施例】
【００１７】  図３に実施例を示す。収納棚１０にはファイル１２、１３、１４、１５、１６が収納されており、それぞれのファイルには本発明器具１７、１８、１９、２０、２１があらかじめ取り付けられている。所望のファイル（ここではファイル１３）を取り出す場合、手９にてファイル背表紙用面ファスナー５より本発明器具１８の本体取手部を引き離し、その本体取手部を引っ張ることにより容易にファイルを引き出せる。ここで、ファイルが収納されている棚の天板１１とファイルとの間隔２２は限りなく小さくても引き出しが可能となる。
【符号の説明】
【００１８】１：本体取手部
２：谷折り部
３：背表紙裏側粘着部
４：本体面ファスナー
５：ファイル背表紙用面ファスナー
６：ファイル
７：背表紙表面
８：背表紙裏面
９：手
１０：収納棚
１１：天板
１２、１３、１４、１５、１６：ファイル
１７、１８、１９、２０、２１：本発明器具
２２：天板とファイルとの間隔
【図１】
2020124902.tif 000003
【図２】
2020124902.tif 000004
【図３】
2020124902.tif 000005